(57)【要約】【課題】  揺動枠体に装着した選別板の揺動にともなうガタつきを無くした籾摺選別装置を提供する。【解決手段】  揺動選別部４は、揺動枠体１０に複数枚の選別板１１を多段状に装着して構成されている。各選別板１１は揺動枠体１０に対してその一方端側から抜き差し自在である。揺動枠体１０は、その一方端側と他方端側方向に対する左右両端の内側に選別板１１の挿入受け部１４、１５と、選別板１１の左側の底裏面１６に対応する案内溝体１７を有している。選別板１１の底裏面１６には案内溝体１７の内面に沿う案内突板１８を備えている。選別板１１の左右端には、挿入受け部１４、１５に対する弾性受け部材２０、２１を備えている。案内溝体１７に対する案内突板１８の当接と挿入受け部１４に差し込まれた弾性受け部材２０の弾性変形により選別板１１の緊定状態が保持される。【選択図】  図１
2006239657.tif 000002
【特許請求の範囲】
【請求項１】
籾摺装置により摺り出された摺米を揺動選別部に供給して玄米、混合米および籾とに選別する籾摺選別装置であって、
揺動選別部は、揺動枠体に複数枚の選別板を多段状に装着して構成されているとともに各選別板は揺動枠体に対してその一方端側から抜き差し自在であり、
揺動枠体は、その一方端側と他方端側方向に対する左右両端の内側に選別板の挿入受け部と、選別板の左右いずれか一方側の底裏面に対応する案内溝体を有しており、選別板の底裏面には上記案内溝体の内面に沿う案内突板を備えているとともに、選別板の側端には、前記挿入受け部に対する弾性受け部材を備えていて、前記案内溝体に対する案内突板の当接と前記挿入受け部に差し込まれた弾性受け部材の弾性変形により揺動枠体に選別板が緊定状態を保持するように構成されていることを特徴とする籾摺選別装置。
【請求項２】
選別板の底裏面に備える案内突板と弾性受け部材とを一体構造として選別板に取り付けていることを特徴とする請求項１記載の籾摺選別装置。
【発明の詳細な説明】
【技術分野】
【０００１】
本発明は、籾摺装置により摺り出された摺米を揺動選別部に供給して玄米、混合米および籾とに選別する籾摺選別装置に関するものである。
【背景技術】
【０００２】
籾摺装置により摺り出された摺米は、玄米に摺り残りの籾とが混合した混合米となっているが、これを各種の選別手段により玄米、混合米および籾とに選別することが行われている。従来、そのための選別手段としては、揺動選別板による揺動選別装置がある（特開0平１１−７６９４５号公報、特開２０００−６１３９９公報、特開２００５−４０７３２公報参照）。
【０００３】
【特許文献１】特開平１１−７６９４５号公報
【特許文献２】特開２０００−６１３９９公報
【特許文献３】特開２００５−４０７３２公報
【発明の開示】
【発明が解決しようとする課題】
【０００４】
この種の籾摺選別装置にあっては、揺動枠体に複数枚の選別板を多段状に装着されており、その各選別板はそれぞれ抜き差し自在となっているが、揺動枠体には選別板の左右両端側を受けるレールを備えていて、選別板を左右のレール間に差し込んで保持する構造であるから、揺動枠体に挿入した複数枚の選別板を揺動枠体に固定するには揺動枠体の一方端側を覆うカバーにそれぞれネジ止めするか（特開２０００−６１３９９公報参照）、あるいは選別板の一方端側に揺動枠体の一方端に対する嵌合構造を備えたうえ揺動枠体の一方端側を覆うカバーを装着している（特開２００５−４０７３２公報参照）。
【０００５】
ところが、前記特開２０００−６１３９９公報または特開２００５−４０７３２公報に記載されている選別板の固定手段によれば、選別板の一方端側のみで揺動枠体に固定するものであるから、選別板の差し込み方向の全長にわたる遊びを完全に無くすことはできず、揺動にともなっていわゆる細かいガタつきにともなって被選別物の受けレールと選別板との間への入り込みが生じて、選別板の抜き差しに支障をきたすことが問題である。
【０００６】
本発明は、上記のような問題点を解消しようとするものであって、揺動枠体に選別板の挿入受けと併せて選別板の底裏面に案内突板を備え、それらにより揺動枠体に差し込んだ選別板をその差し込み方向のほぼ全長にわたって固定されるようにして、揺動枠体に装着した選別板の揺動にともなうガタつきを完全に無くした籾摺選別装置を提供することを目的とするものである。
【課題を解決するための手段】
【０００７】
上記目的を達成するための本発明の請求項１に係る籾摺選別装置は、籾摺装置により摺り出された摺米を揺動選別部に供給して玄米、混合米および籾とに選別する籾摺選別装置であって、揺動選別部は、揺動枠体に複数枚の選別板を多段状に装着して構成されているとともに各選別板は揺動枠体に対してその一方端側から抜き差し自在であり、揺動枠体は、その一方端側と他方端側方向に対する左右両端の内側に選別板の挿入受け部と、選別板の左右いずれか一方側の底裏面に対応する案内溝体を有しており、選別板の底裏面には上記案内溝体の内面に沿う案内突板を一体に備えているとともに、選別板の側端には、前記挿入受け部に対する弾性受け部材を備えていて、前記案内溝体に対する案内突板の当接と前記挿入受け部に差し込まれた弾性受け部材の弾性変形により揺動枠体に選別板が緊定状態を保持するように構成されていることを特徴とするものである。
【０００８】
本発明の請求項２に係る籾摺選別装置は、請求項１の構成において、選別板の底裏面に備える案内突板と弾性受け部材とを一体構造として選別板に取り付けていることを特徴とするものである。
【発明の効果】
【０００９】
本発明に係る籾摺選別装置によれば、揺動枠体に選別板の挿入受けと併せて選別板の底裏面に案内突板を備え、それらにより揺動枠体に差し込んだ選別板をその差し込み方向のほぼ全長にわたって固定されるようにして、揺動枠体に装着した選別板の揺動にともなうガタつきを完全無くすことができる。
【発明を実施するための最良の形態】
【００１０】
図面は本発明の一実施の形態を示し、図１は本発明に係る選別板とそれを揺動枠体に差し込み装着した態様の断面図、図２は同上選別板の斜視図、図３は同上図２のａ部詳細図、図４は揺動枠体の一部詳細斜視図、図５は揺動選別部の斜視図、図６は籾摺選別装置の全体模式図である。
【００１１】
１は籾摺選別装置であって、籾摺選別装置１は、図６に示すように、籾摺装置２、風選部３、揺動選別部４からなり、５は籾タンク、６は籾投入昇降機、７は玄米昇降機、８は混合米昇降機、９は混合米タンクである。籾摺選別装置１は、籾摺装置２により摺り出された摺米を揺動選別部４に供給して玄米、混合米および籾とに選別するものである。
【００１２】
揺動選別部４は、図５に示すように、揺動枠体１０に複数枚の選別板１１を多段状に装着して構成されており、各選別板１１は、揺動枠体１０に対してその一方端側から抜き差し自在である。すなわち、揺動枠体１０には、各段ごとに、その一方端側と他方端側に対する左端１２と右端１３の内側に、選別板１１の挿入受け部１４、１５が設けられており、選別板１１の左側の底裏面１６に対応する案内溝体１７を有しており、選別板１１の底裏面１６には上記案内溝体１７の内面に沿う案内突板１８を一体に備えている。上記挿入受け部１４、１５は揺動枠体１０に選別板１１のほぼ全長にわたって設けられており、案内溝体１７および案内突板１８も選別板１１のほぼ全長にわたって設けられている。なお、案内溝体１７および案内突板１８は選別板１１の底裏面１６の右側に設けてもよい。選別板１１の底裏面１６に備える案内突板１８と弾性受け部材２０とは、一体構造として選別板１１に取り付けているので、これが選別板１１の補強にもなっている。(図１）。
【００１３】
選別板１１の側端のうち左端には、前記挿入受け部１４に対する弾性受け部材２０を備えていて、前記案内溝体１７に対する案内突板１８の当接と前記挿入受け部１４に差し込まれた弾性受け部材２０の弾性変形により揺動枠体１０に選別板１１が緊定状態を保持するように構成されている。選別板１１の右端にも前記弾性受け部材２０と対称形態の挿入受け部１５に対する弾性受け部材２１を備えている。これら左右端の弾性受け部材２０、２１は、それぞれの挿入受け部１４、１５に挿入された状態で挿入受け部１４、１５の上下面に密接するので（図１）、挿入受け部１４、１５に異物の侵入が防止される。
【００１４】
選別板１１の底裏面に一体に設けた案内突板１８は、選別板１１の差し込み方向先端部が案内溝体１７の垂直面１９を避けるように左側に傾斜面２２をなし（図２）、弾性受け部材２０、２１の先端部は挿入受け部１４、１５に挿入しやすいように下向きの傾斜面２３をなしている（図３）。弾性受け部材２０、２１は左右方向にＵ字形に湾曲した形状にしてあって、弾性変形とその復元効果が大きくなるようにしてある。また、案内溝体１７と案内突板１８が設けられている側と反対側の挿入受け部１５と選別板１１の弾性受け部材２１との間には大きめに隙間２４を設けてあり、案内溝体１７と案内突板１８が設けられている側の挿入受け部１４と選別板１１の弾性受け部材２０との間は、選別板１１の先端側を揺動枠体１０に差し込み始めの状態では隙間が生じるが、選別板１１をさらに差し込むと案内突板１８が案内溝体１７の垂直面１９に当接して挿入受け部１４の側面に弾性受け部材２０が密接状態となって、選別板１１は挿入受け部１４と弾性受け部材２０と、案内溝体１７と案内突板１８との当接によって揺動枠体１０に選別板１１が固定状態に保持される。なお、揺動枠体１０の選別板１１の差し込み側である一方端には覆板２５が着脱自在になっており、複数枚の選別板１１を装着後に揺動枠体１０に覆板２５を取り付けることによって選別板１１全部がガタつき無く確実に固定される。
【００１５】
図４に示すように、挿入受け部１４、１５の水平面２６および案内溝体１７の水平面２７には、それぞれ侵入異物の排除スリット２８を設けてあって、籾などが挿入受け部２０、２１と選別板１１との間、また案内溝体１７内に侵入しても、落下し排除されるようにしてある。このため、揺動枠体１０に対する選別板１１の抜き差しに支障が生ぜずその作業を常に軽快にできる。
【００１６】
揺動枠体１０に選別板１１を差し込むには、その差し込み先端側を揺動枠体１０に向け、左右の挿入受け部１４、１５間に選別板１１を差し込むが、選別板１１の左右端の弾性受け部材２０、２１の先端側はそれぞれ下向きの傾斜面２３となっており、また選別板１１の底裏面１６に設けた案内突板１８の先端（奥側）は左側への傾斜面２２となっているので、挿入受け部１５と選別板１１の弾性受け部材２１との間の大きめの隙間２４と相俟って、選別板１１の差し込みが容易にでき、挿入後の選別板１１は前述のように完全に固定され、揺動による揺動枠体１０との間にいわゆるガタが生じない。
【図面の簡単な説明】
【００１７】
【図１】同上選別板とそれを揺動枠体に差し込み装着した態様の断面図である。
【図２】同上選別板の斜視図である。
【図３】同上図１のａ部詳細図である。
【図４】揺動枠体の一部詳細斜視図である。
【図５】揺動選別部の斜視図である。
【図６】籾摺選別装置の全体模式図である。
【符号の説明】
【００１８】
１  籾摺選別装置
２  籾摺装置
３  風選部
４  揺動選別部
５  籾タンク
６  籾投入昇降機
７  玄米昇降機
８  混合米昇降機
９  混合米タンク
１０  揺動枠体
１１  選別板
１２  揺動枠体の左端
１３  揺動枠体の右端
１４、１５  挿入受け部
１６  底裏面
１７  案内溝体
１８  案内突板
１９  垂直面
２０、２１  弾性受け部材
２２  案内溝体の垂直面を避ける傾斜面
２３  下向きの傾斜面
２４  隙間
２５  覆板
２６  挿入受け部の水平面
２７  案内溝体の水平面
２８  排除スリット
【図１】
2006239657.tif 000003
【図２】
2006239657.tif 000004
【図３】
2006239657.tif 000005
【図４】
2006239657.tif 000006
【図５】
2006239657.tif 000007
【図６】
2006239657.tif 000008